(57)【要約】【課題】着座者の身体の一部が支持部材に直接当たることを防止して座り心地を向上する。【解決手段】メッシュあるいはフィルム若しくは布地等の膜状部材２と、膜状部材２の周縁の一部を保持する支持部材３と、膜状部材２の周縁のうちで支持部材３から解放されている解放部４とを備えて、解放部４の少なくとも一部がそれのみにより着座者の荷重を直接支持するような配置で支持部材３が椅子５のフレーム６に組み付けられる。【選択図】図１
2010046523.tif 000002
【特許請求の範囲】
【請求項１】
メッシュあるいはフィルム若しくは布地等の膜状部材と、前記膜状部材の周縁の一部を保持する支持部材と、前記膜状部材の前記周縁のうちで前記支持部材から解放されている解放部とを備えて、前記解放部の少なくとも一部がそれのみにより着座者の荷重を直接支持するような配置で前記支持部材が椅子のフレームに組み付けられることを特徴とする座あるいは背凭れ等の椅子の構造物。
【請求項２】
前記支持部材はＵ字形状であると共に前記解放部は前記支持部材の両先端の間に形成されることを特徴とする請求項１記載の座あるいは背凭れ等の椅子の構造物。
【請求項３】
前記解放部は前記支持部材を挟んだ２箇所以上に形成されることを特徴とする請求項１記載の座あるいは背凭れ等の椅子の構造物。
【発明の詳細な説明】
【技術分野】
【０００１】
本発明は、座あるいは背凭れ等の椅子の構造物に関する。更に詳述すると、本発明はメッシュあるいはフィルム若しくは布地等の膜状部材とその周縁を保持する支持部材とから成り、椅子のフレームに組み付けられて椅子の座あるいは背凭れ等として機能する構造物に関する。
【背景技術】
【０００２】
図４に示すように、脚部を構成するパイプフレーム１０１に座１０３が直接取り付けられる椅子１０２が知られている（実公平８−８６７３号参照）。この椅子１０２の座１０３は、図５に示すようにパイプフレーム１０１に溶接された受け金具１０８の上にボルト１０９によりねじ止め固定された環状の支持部材１０４と、該支持部材１０４に一体化されたメッシュシートから成る膜状部材１０５と、該膜状部材１０５に載置されたクッション１０６と、クッション１０６及び支持部材１０４を覆って支持部材１０４の外側から裏側に回り込んで止着された上張地１０７とを備える。なお、図５中、符号１１０はボルト１０９に螺合するナット、符号１１１は支持部材１０４のナット受け孔を示す。
【０００３】
そして、図６に示すように、膜状部材１０５と支持部材１０４とが一体形成された椅子の構造物では、環状の支持部材１０４は、膜状部材１０５に座１０３として必要な張力を与えるために膜状部材１０５の全周縁を外側に向けて引っ張るように形成されている。
【先行技術文献】
【特許文献】
【０００４】
【特許文献１】実公平８−８６７３号公報
【特許文献２】実願昭６０−６６２４５号（実開昭６１−１８１５５５号）のマイクロフィルム
【特許文献３】実公昭４６−２１２３５号公報
【特許文献４】実公昭４１−１１２２７号公報
【特許文献５】特開平１０−２６２７７４号公報
【発明の概要】
【発明が解決しようとする課題】
【０００５】
しかしながら、上述した椅子の構造物では、支持部材１０４が環状であるので、着座者の臀部が膜状部材１０５に支持されて沈み込むことにより大腿が支持部材１０４の縁に押し付けられてしまい、違和感が生じて座り心地が悪いことがある。すなわち、膜状部材１０５は弾力性を有しているのに対し、支持部材１０４は着座者の体重に耐える剛性が必要とされることから、支持部材１０４と膜状部材１０５との境の部分で急に折れ曲がるような明瞭な段差が生じ、この部分に大腿が押し付けられて違和感を起こさせてしまうことがある。
【０００６】
同様に、膜状部材と環状の支持部材とから成る椅子の構造物を背凭れとして利用した場合は、着座者の背中や腰が背凭れの上部および下部で支持部材と膜状部材との段差に押し付けられて違和感を生じて座り心地が悪いことがある。すなわち、支持部材が環状である以上、身体の一部が必ず当たってしまうので座り心地を損ねてしまうことになる。
【０００７】
そこで、本発明は、座り心地を向上できる座あるいは背凭れ等の椅子の構造物を提供することを目的とする。
【課題を解決するための手段】
【０００８】
かかる目的を達成するため、請求項１記載の座あるいは背凭れ等の椅子の構造物は、メッシュあるいはフィルム若しくは布地等の膜状部材と、膜状部材の周縁の一部を保持する支持部材と、膜状部材の周縁のうちで支持部材から解放されている解放部とを備えて、解放部の少なくとも一部がそれのみにより着座者の荷重を直接支持するような配置で支持部材が椅子のフレームに組み付けられるようにしている。
【０００９】
したがって、この構造物をフレームに組み付けた椅子では、着座者が荷重を掛けることにより膜状部材が変形する。このとき、解放部は支持部材により支持されずに解放されているので、着座者の身体のうちで解放部に支持される部位は膜状部材の弾力性のみにより支持される。このため、着座者の大腿や背中等が支持部材に当たることを防止できるので、着座者は膜状部材の弾力性をそのまま体感でき座り心地が向上する。
【００１０】
支持部材は特定の材質に限定されることはないが、熱可塑性合成樹脂製とすれば膜状部材と支持部材とが射出成形等により容易に一体形成することができる。
【００１１】
また、請求項２記載の発明は、請求項１記載の座あるいは背凭れ等の椅子の構造物において、支持部材はＵ字形状であると共に解放部は支持部材の両先端の間に形成されるようにしている。
【００１２】
ここで、本明細書中で「Ｕ字形状」とは、環の一部を切り欠いた形状を意味し、具体的には文字通りのＵ字形状の他に、Ｖ字形状やコ字形状やＣ字形状や馬蹄形状等を含むものとしている。
【００１３】
したがって、一体物から成る支持部材の内側に膜状部材を配置するようにできるので、膜状部材に張力を与えるように構造物を形成することができる。このため、支持部材をフレームにより補強しなくても膜状部材に張力を与えるようにできる。
【００１４】
さらに、請求項３記載の発明は、請求項１記載の座あるいは背凭れ等の椅子の構造物において、解放部は支持部材を挟んだ２箇所以上に形成されるようにしている。
【００１５】
したがって、単体の構造物では膜状部材に張力を与えないように形成しておき、支持部材を椅子のフレームに組み付けるときに膜状部材に張力を与えるようにすれば良い。よって、構造物の製造時に膜状部材に予張力を与える必要がないので、作業性が向上して低コスト化を図ることができる。
【発明の効果】
【００１６】
以上の説明から明らかなように、請求項１記載の座あるいは背凭れ等の椅子の構造物によれば、解放部は支持部材により支持されずに解放されているので、着座者の身体のうちで解放部に支持される部位は膜状部材の弾力性のみにより支持される。このため、着座者は膜状部材の弾力性をそのまま体感できるので、座り心地を向上することができる。
【００１７】
また、本発明の構成によると、支持部材を熱可塑性合成樹脂製とした場合、膜状部材と支持部材とが射出成形等により一体形成可能となるので、膜状部材にミシンを使用してフレームへの取付孔や取付部材を縫製する場合に比べて、構造物の製造が簡易化されるので大量生産を容易に可能とすると共に低コスト化を図ることができる。しかも、ミシンによる縫製作業を要する場合に比べて、構造物のデザイン的な自由度を向上することができる。
【００１８】
さらに、請求項２記載の座あるいは背凭れ等の椅子の構造物によれば、一体物から成る支持部材の内側に膜状部材を配置するようにできるので、膜状部材に張力を与えるように構造物を形成することができる。
【００１９】
また、請求項３記載の座あるいは背凭れ等の椅子の構造物によれば、構造物の製造時に膜状部材に予張力を与える必要がないので、作業性が向上して低コスト化を図ることができる。
【図面の簡単な説明】
【００２０】
【図１】本発明の構造物を利用する椅子を示す分解組立図である。
【図２】構造物の他の実施形態を利用する椅子を示す分解組立図である。
【図３】構造物の別の実施形態を利用する椅子を示す分解組立図である。
【図４】従来のパイプフレーム椅子を示す斜視図である。
【図５】図４中のＶ−Ｖ線で切断した状態を示す正面図である。
【図６】従来の構造物を示す斜視図である。
【発明を実施するための形態】
【００２１】
以下、本発明の構成を図面に示す実施形態に基づいて詳細に説明する。
【００２２】
本発明の座あるいは背凭れ等の椅子の構造物１は、図１に示すように、メッシュあるいはフィルム若しくは布地等の膜状部材２と、膜状部材２の周縁の一部を保持する例えば熱可塑性合成樹脂製の支持部材３と、膜状部材２の周縁のうちで支持部材３から解放されている解放部４とを備えている。そして、解放部４の少なくとも一部がそれのみにより着座者の荷重を直接支持するような配置で、支持部材３が椅子５のフレーム６に組み付けられている。このため、膜状部材２の周縁の一部に形成された解放部４が着座者の荷重を直接支持するように配置されているので、着座者の身体のうちで解放部４に支持される部位は膜状部材２の弾力性のみにより支持される。よって、着座者の大腿や背中等が支持部材３に当たることを防止できるので、着座者は膜状部材２の弾力性をそのまま体感でき座り心地が向上する。
【００２３】
座として使用する構造物１については、支持部材３はＵ字形状であると共に解放部４は支持部材３の両先端の間に形成されるようにしている。このため、一体物から成る支持部材３の内側に膜状部材２を配置するようにできるので、膜状部材２に張力を与えるように構造物１を形成することができ、構造物１は単体でも膜状部材２に張力を有するようにできる。本実施形態では、支持部材３はコ字形状であると共に解放部４を前側に位置するようにフレーム６に載置して固定されている。このため、着座者の大腿が座の前端部の解放部４を押し下げて弾性変形させる。これにより、座の解放部４では大腿は膜状部材２のみにより支持されると共に臀部は膜上部材に支持されているので、大腿および臀部が段差無く弾性的に支持されて座り心地を向上することができる。
【００２４】
また、背凭れとして使用する構造物１については、解放部４は支持部材３を挟んだ２箇所に形成されるようにしている。このため、構造物１自体には膜状部材２に張力を与えないように形成しておき、この構造物１の支持部材３を椅子５のフレーム６に組み付けるときに、膜状部材２に張力を与えるようにできる。よって、構造物１の製造時に膜状部材２に予張力を与える必要がないので、作業性が向上して低コスト化を図ることができる。本実施形態では、支持部材３は上部を閉塞した２本の縦長の円筒部材であると共に解放部４を上側と下側のそれぞれに位置するようにフレーム６に差し込まれて固定されている。このため、着座者の背中の上部および腰部がそれぞれ解放部４を後方に押圧して弾性変形させる。これにより、背中から腰部までの全域が膜状部材２のみにより段差無く弾性的に支持されるので、座り心地を向上することができる。
【００２５】
支持部材３は単一材質から成る熱可塑性合成樹脂製であり、射出成形等により膜状部材２の周縁の一部と一体化した一体成形品とされている。このため、膜状部材２の縁部を折り返して縫い付けてフレーム６の一部を収容する細長い孔を形成する場合や、膜状部材２の縁部に他の布材から成る細長い袋やフレーム６への取付部材を縫製する場合に比べて、ミシンを用いた縫製作業を要しないことから構造物１の製造が簡易化されるので大量生産を容易に可能とすると共に低コスト化を図ることができる。しかも、ミシンによる縫製作業を要する場合に比べて、構造物１のデザインの自由度を向上することができる。
【００２６】
また、膜状部材２としてはメッシュ布（例えば、デュポン社製  商品名ダイメトロール）を使用することが好ましい。本実施形態では膜状部材２をメッシュ布にしているが、これには限られず弾性を有すると共に着座者の体重を支持できるフィルムやビニルや皮や布や金網等の他の材質のものでも良い。
【００２７】
座として用いられる構造物１では、膜状部材２は支持部材３の上面に貼り付けられるように一体成形されている。ここで、この座としての構造物１をフレーム６に取り付けるときは、支持部材３と膜状部材２との一体化部分を覆い隠すカバー部材を設けることが好ましい。この場合、カバー部材により一体化部分を覆い隠すことができるので、見栄えを向上させることができる。
【００２８】
また、背凭れとして用いられる構造物１では、膜状部材２は支持部材３の中に完全に埋没するように一体成形されている。この場合、膜状部材２の支持部材３への一体化部分が露出しないので、外観を向上することができる。
【００２９】
これらの構造物１は、そのままで椅子５の座や背凭れとして使用されているが、場合によっては膜状部材２と支持部材３の上面及び外側面との全体を覆うように表皮部材を取り付けても良い。この場合、支持部材３の上面に露出される膜状部材２の周縁部分を隠すことができると共に、表皮部材の選択により座または背凭れの外観を任意の色や模様にすることができる。
【００３０】
椅子５のフレーム６は、パイプを溶接して組み立てられている。このフレーム６は、座の支持部材３を下から支持する前側が開いたコ字形状の支持枠部７と、座の解放部４から下側に離れた箇所で左右のフレーム同士を連結する補助フレーム８と、背凭れの支持部材３を上方から差し込んで支持する支持棒部９とを有している。このため、座および背凭れともに解放部４がフレーム６により支持されずに解放されているので、着座者の荷重による解放部４の弾性変形を確保することができる。また、各支持部材３はフレーム６に固定されることにより、その構造強度が補強される。
【００３１】
ここで、座の支持部材３の支持枠部７への固定手段としては特に限定されず、例えばねじ止めにしたり、あるいは支持部材３に一体形成または後付けした係止爪を支持枠部７にワンタッチで引っ掛けるようにしても良い。いずれの場合も、支持部材３とフレーム６とを固定することができるので、着座者の荷重により膜状部材２が引っ張られても支持部材３がずれることを防止できる。
【００３２】
また、背凭れの支持部材３は、支持棒部９に差し込むことにより固定されている。ここで、膜状部材２は支持部材３同士を弛まずに最短距離で結ぶように設けられている。このため、着座者の荷重により膜状部材２が後方に変形して支持部材３が支持棒部９に対して回転しても、荷重が無くなると同時に膜状部材２の張力が支持部材３を原位置に戻すようにする。本実施形態では背凭れの支持部材３を支持棒部９に差し込んでいるだけにしているが、これには限られず例えば図２に示すようにねじ部材１０等を用いて背凭れを支持棒部９に固定するようにしても良い。この場合、膜状部材２を支持部材３の前面側に一体化していても、膜状部材２の張力や着座者の背中の荷重により支持部材３が回転してしまうことを防止できる。
【００３３】
以上のように構成された構造物１は、例えばインサート成形等によって形成される。例えば、射出成形の金型の内部に形成された膜状部材２保持用の突起に膜状部材２を引っ掛けて、膜状部材２を金型に設置する。あるいは、膜状部材２を金型の外部で保持する。
【００３４】
ここで、上述した座としての構造物１は単体で膜状部材２に張力を有しているので、膜状部材２を金型に設置したときに予張力を与えておくようにする。また、背凭れとしての構造物１はそれ自体では膜状部材２に張力を有していないので、膜状部材２を金型に設置したときに予張力を与えなくて良い。よって、製造作業を簡素化して作業性を向上させることができる。
【００３５】
そして、膜状部材２を金型のキャビティ内に収容したまま支持部材３の射出成形を行い、膜状部材２と一体化された状態で支持部材３を成形する。これにより、支持部材３と膜状部材２とが強固にかつ容易に一体化された一体成形品としての構造物１が得られる。なお、支持部材３を膜状部材２と一体形成する方法としては射出成形法に限られず、圧縮成形法や注型法等の他の方法であっても良い。
【００３６】
なお、上述の実施形態は本発明の好適な実施の一例ではあるがこれに限定されるものではなく本発明の要旨を逸脱しない範囲において種々変形実施可能である。例えば、本実施形態では座としての構造物１の膜状部材２を支持部材３の上面に一体成形しているが、これには限られずこの構造物１の膜状部材２を支持部材３の中に一体成形するようにしても良い。また、本実施形態では背凭れとしての構造物１の膜状部材２を支持部材３の中に一体成形しているが、これには限られず図２に示すようにこの構造物１の膜状部材２を支持部材３の上面に一体成形するようにしても良い。
【００３７】
さらに、膜状部材２と支持部材３との一体化あるいは接合する箇所は本実施形態のように支持部材３の上面や内部に限られず、支持部材の下面あるいは裏面にしても良い。この場合、膜状部材２の支持部材３への一体化部分を着座者側から見えないようにできるので、外観を向上することができる。
【００３８】
また、膜状部材２と支持部材３とを一体化する手法としては、上述したような射出成形による一体成形に限られるものではなく、支持部材３と膜状部材２とを一体化できる様々な手法を適用することができる。例えば、膜状部材２と支持部材３とを別個に形成しておき、支持部材３の表面に膜状部材２の周縁を接着あるいはボルト等によるねじ止めやホチキス止めで一体化するようにしても良い。または、表面に突起を有する支持部材３を形成して、この突起に膜状部材２の周縁を引っ掛けて一体化するようにしても良い。さらに、支持部材３を長手方向に沿って半割に形成しておき、その間に膜状部材２の周縁を挟み込んで接着やねじ止めや嵌合により一体化するようにしても良い。支持部材３を半割に形成する場合は、支持部材３の半割の向き合った各挟み込み面に互いに嵌合する凸部と凹部とを形成しておいて、これら凸部と凹部との間に膜状部材２を挟み込むようにしても良い。これによれば、膜状部材２の保持力を更に強くすることができる。
【００３９】
さらに、支持部材３にフレーム６への組付用の溝あるいは爪を形成しておき、この溝あるいは爪に膜状部材２を挟み込んだ状態で支持部材３をフレーム６に組み付けるようにしても良い。このときは、例えば膜状部材２の周縁を予めフレーム６に巻き付けておき、その上から支持部材３を填め付けるようにしたり、または膜状部材２の周縁を予め支持部材３の溝に入れておいた状態で支持部材３をフレーム６に填め付けるようにしても良い。また、この場合に、支持部材３とフレーム６とは嵌合の締付力で固定されるようにしたり、あるいは支持部材３とフレーム６とをねじ止め等によって固定するようにしても良い。支持部材３とフレーム６とをねじ止め等によって固定するときは、ねじ止め用のボルトを膜状部材２に貫通させることにより膜状部材２の保持力を更に強くすることができる。さらに、支持部材３の溝とフレーム６との間に互いに嵌合する凸部と凹部とを形成することにより、これら凸部と凹部との間に膜状部材２を挟むようにできるので、膜状部材２の保持力を更に強くすることができる。
【００４０】
そして、本実施形態では座としての構造物１を支持枠部７に載置すると共に背凭れとしての構造物１を支持棒部９に差し込むようにしているが、これには限られず例えば図３に示すように座としての構造物１をフレーム６に差し込むようにしたり、あるいは背凭れとしての構造物１をフレーム６に載せてねじ部材等により止め付けるようにしても良い。いずれの場合も、解放部４が着座者の荷重を直接支持するように配置できるので、着座者の身体が支持部材３に当たることを防止して座り心地を向上することができる。
【００４１】
また、本実施形態では、座としての構造物１はＵ字形状の支持部材３を備えるようにしているが、これには限られず前後を長手方向とする２本の支持部材３，３を左右にそれぞれ備えるようにしても良い。この場合、構造物１の前後に解放部４が形成されるので、着座者の大腿のみならず臀部の最後部も支持部材３に当たらずに支持されるようになり、座り心地を向上できる。
【００４２】
さらに、本実施形態では、背凭れとしての構造物１は左右別体の支持部材３，３を備えるようにしているが、これには限られず例えば上側を開放したＵ字形状の支持部材を備えるようにしても良い。これによれば、着座者の腰部が支持部材３の下部により支持されるように成るので、この支持部材３の下部がランバーサポートとして機能して座り心地が向上する場合がある。
【００４３】
また、上述した実施形態では、構造物１の製造時に膜状部材２へ予張力を与えることを不要とするために１つの構造物１に２箇所の解放部４，４を備えるようにしているが、予張力を不要とするための解放部４の数量としては２箇所に限られず支持部材３を挟んだ３箇所以上に形成するようにしても良い。例えば、図３に示すように座としての構造物１が４つの支持部材３を順次挟んだ４つの解放部４を備えるようにすることができる。この場合、各解放部４をフレーム６の４箇所に取り付けると共に、取付時に膜状部材２に必要な張力を与えるようにする。この構造物１によっても構造物１の製造時に膜状部材２へ予張力を与えることを不要にして、製造の作業性を向上できる。しかも、座の４辺に解放部が位置してするので、着座者は四方のいずれを向いて座っても支持部材３に支持されず座り心地を向上できる。
【００４４】
そして、本実施形態の支持部材３は、全体が単一材質の熱可塑性合成樹脂で形成されているが、これには限られず部分的に強度を有する箇所にグラスファイバーや炭素繊維などの補強材を充填するようにしても良い。この場合、支持部材３の強度が向上するので、フレーム６の構成のうちで支持部材３そのものを受け支えて補強する部分を簡略化することができる。
【００４５】
さらに、本実施形態では支持部材３を合成樹脂製にしているが、これには限られず木製や金属製等のその他の材質製であっても良い。この場合も着座者の大腿や背中を解放部４により支持することにより、座り心地を向上することができる。
【００４６】
また、上述した各実施形態では構造物１を椅子５の座と背凭れとに適用しているが、これには限られず例えば椅子の肘掛け等に適用しても良い。この場合も、解放部４が着座者の肘等の荷重を直接支持するように配置できるので、着座者の身体が支持部材３に当たることを防止して椅子の使用感を向上することができる。
【符号の説明】
【００４７】
１  構造物
２  膜状部材
３  支持部材
４  解放部
５  椅子
６  フレーム
【図１】
2010046523.tif 000003
【図２】
2010046523.tif 000004
【図３】
2010046523.tif 000005
【図４】
2010046523.tif 000006
【図５】
2010046523.tif 000007
【図６】
2010046523.tif 000008
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
メッシュあるいはフィルム若しくは布地等の膜状部材と、前記膜状部材の左右両側縁を保持すると共に、椅子の左右一対の支持棒部に組み付けられる合成樹脂からなる左右別体の支持部材とを備え、前記膜状部材の前記支持部材に保持されていない上端縁は前記膜状部材のみにより着座者の身体を支持する解放部となっており、前記支持部材は前記支持棒部に差し込むことにより前記膜状部材を前記支持棒部間に張りながら固定されることを特徴とする椅子の背凭れ。
【請求項２】
メッシュあるいはフィルム若しくは布地等の膜状部材と、前記膜状部材の左右両側縁を保持すると共に、椅子の左右一対の支持棒部に組み付けられる合成樹脂からなる左右別体の支持部材とを備え、前記膜状部材の前記支持部材に保持されていない上端縁及び下端縁は前記膜状部材のみにより着座者の身体を支持する解放部となっており、前記支持部材は前記支持棒部に差し込むことにより前記膜状部材を前記支持棒部間に張りながら固定されることを特徴とする椅子の背凭れ。
【手続補正３】
【補正対象書類名】明細書
【補正対象項目名】０００１
【補正方法】変更
【補正の内容】
【０００１】
本発明は、椅子の背凭れに関する。更に詳述すると、本発明はメッシュあるいはフィルム若しくは布地等の膜状部材とその周縁を保持する支持部材とから成り、椅子のフレームに組み付けられる背凭れに関する。
【手続補正４】
【補正対象書類名】明細書
【補正対象項目名】０００２
【補正方法】変更
【補正の内容】
【０００２】
図３に示すように、脚部を構成するパイプフレーム１０１に座１０３が直接取り付けられる椅子１０２が知られている（実公平８−８６７３号参照）。この椅子１０２の座１０３は、図４に示すようにパイプフレーム１０１に溶接された受け金具１０８の上にボルト１０９によりねじ止め固定された環状の支持部材１０４と、該支持部材１０４に一体化されたメッシュシートから成る膜状部材１０５と、該膜状部材１０５に載置されたクッション１０６と、クッション１０６及び支持部材１０４を覆って支持部材１０４の外側から裏側に回り込んで止着された上張地１０７とを備える。なお、図４中、符号１１０はボルト１０９に螺合するナット、符号１１１は支持部材１０４のナット受け孔を示す。
【手続補正５】
【補正対象書類名】明細書
【補正対象項目名】０００３
【補正方法】変更
【補正の内容】
【０００３】
そして、図５に示すように、膜状部材１０５と支持部材１０４とが一体形成された椅子の構造物では、環状の支持部材１０４は、膜状部材１０５に座１０３として必要な張力を与えるために膜状部材１０５の全周縁を外側に向けて引っ張るように形成されている。
【手続補正６】
【補正対象書類名】明細書
【補正対象項目名】０００７
【補正方法】変更
【補正の内容】
【０００７】
そこで、本発明は、座り心地を向上できる椅子の背凭れを提供することを目的とする。
【手続補正７】
【補正対象書類名】明細書
【補正対象項目名】０００８
【補正方法】変更
【補正の内容】
【０００８】
かかる目的を達成するため、請求項１記載の椅子の背凭れは、メッシュあるいはフィルム若しくは布地等の膜状部材と、膜状部材の左右両側縁を保持すると共に、椅子の左右一対の支持棒部に組み付けられる合成樹脂からなる左右別体の支持部材とを備え、膜状部材の支持部材に保持されていない上端縁は膜状部材のみにより着座者の身体を支持する解放部となっており、支持部材は支持棒部に差し込むことにより膜状部材を支持棒部間に張りながら固定されるようにしている。
また、請求項２記載の椅子の背凭れは、メッシュあるいはフィルム若しくは布地等の膜状部材と、膜状部材の左右両側縁を保持すると共に、椅子の左右一対の支持棒部に組み付けられる合成樹脂からなる左右別体の支持部材とを備え、膜状部材の支持部材に保持されていない上端縁及び下端縁は膜状部材のみにより着座者の身体を支持する解放部となっており、支持部材は支持棒部に差し込むことにより膜状部材を支持棒部間に張りながら固定されるようにしている。
【手続補正８】
【補正対象書類名】明細書
【補正対象項目名】０００９
【補正方法】変更
【補正の内容】
【０００９】
したがって、この背凭れをフレームに組み付けた椅子では、着座者が荷重を掛けることにより膜状部材が変形する。このとき、解放部は支持部材により支持されずに解放されているので、着座者の身体のうちで解放部に支持される部位は膜状部材の弾力性のみにより支持される。このため、着座者の背中等が支持部材に当たることを防止できるので、着座者は膜状部材の弾力性をそのまま体感でき座り心地が向上する。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
また、単体の背凭れでは膜状部材に張力を与えないように形成しておき、支持部材を椅子のフレームに組み付けるときに膜状部材に張力を与えるようにしており、背凭れ単体の製造時に膜状部材に予張力を与える必要がないので、作業性が向上して低コスト化を図ることができる。
【手続補正１５】
【補正対象書類名】明細書
【補正対象項目名】００１６
【補正方法】変更
【補正の内容】
【００１６】
以上の説明から明らかなように、本発明の椅子の背凭れによれば、解放部は支持部材により支持されずに解放されているので、着座者の身体のうちで解放部に支持される部位は膜状部材の弾力性のみにより支持される。このため、着座者は膜状部材の弾力性をそのまま体感できるので、座り心地を向上することができる。
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】変更
【補正の内容】
【００１９】
また、背凭れ単体の製造時に膜状部材に予張力を与える必要がないので、作業性が向上して低コスト化を図ることができる。
【手続補正１９】
【補正対象書類名】明細書
【補正対象項目名】００２０
【補正方法】変更
【補正の内容】
【００２０】
【図１】本発明の椅子の背凭れを利用する椅子を示す分解組立図である。
【図２】本発明の椅子の背凭れの他の実施形態を利用する椅子を示す分解組立図である。
【図３】従来のパイプフレーム椅子を示す斜視図である。
【図４】図３中のＶ−Ｖ線で切断した状態を示す正面図である。
【図５】従来の構造物を示す斜視図である。
【手続補正２０】
【補正対象書類名】明細書
【補正対象項目名】００２２
【補正方法】変更
【補正の内容】
【００２２】
本発明の椅子の背凭れ１は、図１に示すように、メッシュあるいはフィルム若しくは布地等の膜状部材２と、膜状部材２の左右両側縁を保持すると共に、椅子の左右一対の支持棒部９に組み付けられる合成樹脂例えば熱可塑性合成樹脂製からなる左右別体の支持部材３とを備えている。そして、膜状部材２の支持部材３に保持されていない上端縁及び下端縁は膜状部材２のみにより着座者の身体を支持する解放部４となっており、支持部材３は支持棒部９に差し込むことにより膜状部材２を支持棒部９間に張りながら固定されるものである。このため、膜状部材２の上端縁及び下端縁に形成された解放部４が着座者の荷重を直接支持するように配置されているので、着座者の身体のうちで解放部４に支持される部位は膜状部材２の弾力性のみにより支持される。よって、着座者の背中等が支持部材３に当たることを防止できるので、着座者は膜状部材２の弾力性をそのまま体感でき座り心地が向上する。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
また、背凭れ１については、解放部４は支持部材３を挟んだ２箇所に形成されるようにしている。このため、背凭れ１自体には膜状部材２に張力を与えないように形成しておき、この背凭れ１の支持部材３を椅子５のフレーム６の支持棒部９に組み付けるときに、膜状部材２に張力を与えるようにできる。よって、背凭れ１単体の製造時に膜状部材２に予張力を与える必要がないので、作業性が向上して低コスト化を図ることができる。本実施形態では、支持部材３は上部を閉塞した２本の縦長の円筒部材であると共に解放部４を上側と下側のそれぞれに位置するようにフレーム６の支持棒部９に差し込まれて固定されている。このため、着座者の背中の上部および腰部がそれぞれ解放部４を後方に押圧して弾性変形させる。これにより、背中から腰部までの全域が膜状部材２のみにより段差無く弾性的に支持されるので、座り心地を向上することができる。
【手続補正２３】
【補正対象書類名】明細書
【補正対象項目名】００２５
【補正方法】変更
【補正の内容】
【００２５】
支持部材３は単一材質から成る熱可塑性合成樹脂製であり、射出成形等により膜状部材２の周縁の一部と一体化した一体成形品とされている。このため、膜状部材２の縁部を折り返して縫い付けてフレーム６の支持棒部９の一部を収容する細長い孔を形成する場合や、膜状部材２の縁部に他の布材から成る細長い袋やフレーム６の支持棒部９への取付部材を縫製する場合に比べて、ミシンを用いた縫製作業を要しないことから背凭れ１の製造が簡易化されるので大量生産を容易に可能とすると共に低コスト化を図ることができる。しかも、ミシンによる縫製作業を要する場合に比べて、背凭れ１のデザインの自由度を向上することができる。
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】変更
【補正の内容】
【００２８】
また、背凭れ１では、膜状部材２は支持部材３の中に完全に埋没するように一体成形されている。この場合、膜状部材２の支持部材３への一体化部分が露出しないので、外観を向上することができる。
【手続補正２６】
【補正対象書類名】明細書
【補正対象項目名】００２９
【補正方法】変更
【補正の内容】
【００２９】
背凭れ１は、そのままで椅子５の背凭れとして使用されているが、場合によっては膜状部材２と支持部材３の上面及び外側面との全体を覆うように表皮部材を取り付けても良い。この場合、支持部材３の上面に露出される膜状部材２の周縁部分を隠すことができると共に、表皮部材の選択により背凭れ１の外観を任意の色や模様にすることができる。
【手続補正２７】
【補正対象書類名】明細書
【補正対象項目名】００３０
【補正方法】変更
【補正の内容】
【００３０】
椅子５のフレーム６は、パイプを溶接して組み立てられている。このフレーム６は、座の支持部材２３を下から支持する前側が開いたコ字形状の支持枠部７と、座の解放部２４から下側に離れた箇所で左右のフレーム同士を連結する補助フレーム８と、背凭れの支持部材３を上方から差し込んで支持する支持棒部９とを有している。このため、背凭れ１の解放部４がフレーム６の支持棒部９により支持されずに解放されているので、着座者の荷重による解放部４の弾性変形を確保することができる。また、各支持部材３はフレーム６の支持棒部９に固定されることにより、その構造強度が補強される。
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】変更
【補正の内容】
【００３２】
また、背凭れ１の支持部材３は、支持棒部９に差し込むことにより固定されている。ここで、膜状部材２は支持部材３同士を弛まずに最短距離で結ぶように設けられている。このため、着座者の荷重により膜状部材２が後方に変形して支持部材３が支持棒部９に対して回転しても、荷重が無くなると同時に膜状部材２の張力が支持部材３を原位置に戻すようにする。本実施形態では背凭れ１の支持部材３を支持棒部９に差し込んでいるだけにしているが、これには限られず例えば図２に示すようにねじ部材１０等を用いて背凭れ１を支持棒部９に固定するようにしても良い。この場合、膜状部材２を支持部材３の前面側に一体化していても、膜状部材２の張力や着座者の背中の荷重により支持部材３が回転してしまうことを防止できる。
【手続補正３０】
【補正対象書類名】明細書
【補正対象項目名】００３３
【補正方法】変更
【補正の内容】
【００３３】
以上のように構成された背凭れ１は、例えばインサート成形等によって形成される。例えば、射出成形の金型の内部に形成された膜状部材２保持用の突起に膜状部材２を引っ掛けて、膜状部材２を金型に設置する。あるいは、膜状部材２を金型の外部で保持する。
【手続補正３１】
【補正対象書類名】明細書
【補正対象項目名】００３４
【補正方法】変更
【補正の内容】
【００３４】
ここで、背凭れ１はそれ自体では膜状部材２に張力を有していないので、膜状部材２を金型に設置したときに予張力を与えなくて良い。よって、製造作業を簡素化して作業性を向上させることができる。
【手続補正３２】
【補正対象書類名】明細書
【補正対象項目名】００３５
【補正方法】変更
【補正の内容】
【００３５】
そして、膜状部材２を金型のキャビティ内に収容したまま支持部材３の射出成形を行い、膜状部材２と一体化された状態で支持部材３を成形する。これにより、支持部材３と膜状部材２とが強固にかつ容易に一体化された一体成形品としての背凭れ１が得られる。なお、支持部材３を膜状部材２と一体形成する方法としては射出成形法に限られず、圧縮成形法や注型法等の他の方法であっても良い。
【手続補正３３】
【補正対象書類名】明細書
【補正対象項目名】００３６
【補正方法】変更
【補正の内容】
【００３６】
なお、上述の実施形態は本発明の好適な実施の一例ではあるがこれに限定されるものではなく本発明の要旨を逸脱しない範囲において種々変形実施可能である。例えば、本実施形態では背凭れ１の膜状部材２を支持部材３の中に一体成形しているが、これには限られず図２に示すようにこの背凭れ１の膜状部材２を支持部材３の表面に一体成形するようにしても良い。
【手続補正３４】
【補正対象書類名】明細書
【補正対象項目名】００３７
【補正方法】変更
【補正の内容】
【００３７】
さらに、膜状部材２と支持部材３との一体化あるいは接合する箇所は本実施形態のように支持部材３の表面や内部に限られず、支持部材の裏面にしても良い。この場合、膜状部材２の支持部材３への一体化部分を着座者側から見えないようにできるので、外観を向上することができる。
【手続補正３５】
【補正対象書類名】明細書
【補正対象項目名】００３９
【補正方法】変更
【補正の内容】
【００３９】
さらに、支持部材３にフレーム６の支持棒部９への組付用の溝あるいは爪を形成しておき、この溝あるいは爪に膜状部材２を挟み込んだ状態で支持部材３をフレーム６の支持棒部９に組み付けるようにしても良い。このときは、例えば膜状部材２の周縁を予めフレーム６の支持棒部９に巻き付けておき、その上から支持部材３を填め付けるようにしたり、または膜状部材２の周縁を予め支持部材３の溝に入れておいた状態で支持部材３をフレーム６の支持棒部９に填め付けるようにしても良い。また、この場合に、支持部材３とフレーム６の支持棒部９とは嵌合の締付力で固定されるようにしたり、あるいは支持部材３とフレーム６の支持棒部９とをねじ止め等によって固定するようにしても良い。支持部材３とフレーム６の支持棒部９とをねじ止め等によって固定するときは、ねじ止め用のボルトを膜状部材２に貫通させることにより膜状部材２の保持力を更に強くすることができる。さらに、支持部材３の溝とフレーム６の支持棒部９との間に互いに嵌合する凸部と凹部とを形成することにより、これら凸部と凹部との間に膜状部材２を挟むようにできるので、膜状部材２の保持力を更に強くすることができる。
【手続補正３６】
【補正対象書類名】明細書
【補正対象項目名】００４０
【補正方法】変更
【補正の内容】
【００４０】
そして、本実施形態では背凭れ１を支持棒部９に差し込むようにしているが、これには限られず例えば背凭れ１をフレーム６に載せてねじ部材等により止め付けるようにしても良い。いずれの場合も、解放部４が着座者の荷重を直接支持するように配置できるので、着座者の身体が支持部材３に当たることを防止して座り心地を向上することができる。
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】変更
【補正の内容】
【００４２】
さらに、本実施形態では、背凭れ１は左右別体の支持部材３，３を備えるようにしているが、これには限られず例えば上側を開放したＵ字形状の支持部材を備えるようにしても良い。即ち、膜状部材２の支持部材３に保持されていない上端縁のみを膜状部材２のみにより着座者の身体を支持する解放部４としても良い。これによれば、着座者の腰部が支持部材３の下部により支持されるように成るので、この支持部材３の下部がランバーサポートとして機能して座り心地が向上する場合がある。なお、「Ｕ字形状」とは、環の一部を切り欠いた形状を意味し、具体的には文字通りのＵ字形状の他に、Ｖ字形状やコ字形状やＣ字形状や馬蹄形状等を含むものである。
【手続補正３９】
【補正対象書類名】明細書
【補正対象項目名】００４３
【補正方法】削除
【補正の内容】
【手続補正４０】
【補正対象書類名】明細書
【補正対象項目名】００４５
【補正方法】変更
【補正の内容】
【００４５】
さらに、本実施形態では支持部材３を合成樹脂製にしているが、これには限られず木製や金属製等のその他の材質製であっても良い。この場合も着座者の背中を解放部４により支持することにより、座り心地を向上することができる。
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】変更
【補正の内容】
【００４７】
１  背凭れ
２  膜状部材
３  支持部材
４  解放部
５  椅子
６  フレーム
【手続補正４３】
【補正対象書類名】図面
【補正対象項目名】全図
【補正方法】変更
【補正の内容】
【図１】
2010046523.tif 000009
【図２】
2010046523.tif 000010
【図３】
2010046523.tif 000011
【図４】
2010046523.tif 000012
【図５】
2010046523.tif 000013